(57)【要約】 【課題】  信頼性の向上を図ることができる電子機器を提供する。【解決手段】  一つの実施形態によれば、電子機器は、第１ユニットと、前記第１ユニットに着脱可能に取り付けられる第２ユニットと、前記第１ユニットに設けられた複数の第１磁石と、前記第２ユニットに設けられて、前記複数の第１磁石に向かい合う複数の第２磁石とを備える。前記複数の第１磁石は、互いに略同じ大きさを有するとともに、前記第１ユニットから前記第２ユニットに向かう方向またはその反対方向にＳ極及びＮ極が向き、且つ、互いに隣の第１磁石とはＳ極及びＮ極の向きが逆に並べられている。前記複数の第２磁石は、前記複数の第１磁石とはＳ極及びＮ極の向きが逆に並べられている。【選択図】図６
2014150108.tif 000002
【特許請求の範囲】
【請求項１】
第１ユニットと、
前記第１ユニットに着脱可能に取り付けられる第２ユニットと、
前記第１ユニットに設けられ、互いに略同じ大きさを有するとともに、前記第１ユニットから前記第２ユニットに向かう方向またはその反対方向にＳ極及びＮ極が向き、且つ、互いに隣の第１磁石とはＳ極及びＮ極の向きが逆に並べられた複数の第１磁石と、
前記第２ユニットに設けられ、前記複数の第１磁石に向かい合うとともに、前記複数の第１磁石とはＳ極及びＮ極の向きが逆に並べられた複数の第２磁石と、
を備えた電子機器。
【請求項２】
請求項１に記載に電子機器において、
前記第１磁石及び前記第２磁石は、其々３つ以上である電子機器。
【請求項３】
請求項１または請求項２に記載の電子機器において、
前記第２ユニットは、受け部を有し、
前記第１ユニットは、該第１ユニットから前記第２ユニットに向かう第１方向で前記受け部に挿入され、前記複数の第１磁石が並ぶ第２方向で前記受け部の内面に面する係合部を有した電子機器。
【請求項４】
請求項３に記載の電子機器において、
前記係合部は、前記第１方向で前記受け部に挿入されるガイドと、前記第１磁石と前記第２磁石との間に引き合う力が生じた状態で、前記ガイド内から前記第２方向に移動することで前記ガイドから突出し、前記受け部に係合するフックとを有した電子機器。
【請求項５】
請求項３または請求項４に記載の電子機器において、
前記第２方向における前記係合部と前記受け部との間の隙間は、前記複数の第１磁石の中心間距離よりも小さい電子機器。
【請求項６】
請求項１乃至請求項５のいずれかに記載の電子機器において、
前記第２ユニットは、表示画面が露出した第１面と、該第１面とは反対側に位置した第２面とを有し、
前記第１ユニットは、収容部が設けられた筐体と、前記筐体の収容部に折り畳まれて収容された第１位置と、前記筐体の外部に引き出された第２位置との間で移動可能であり、前記第１磁石と前記第２磁石との間に引き合う力が生じた状態で、前記第２ユニットの第２面を支持する支持部とを有した電子機器。
【請求項７】
請求項６に記載の電子機器において、
前記筐体は、上壁を有し、
前記支持部は、前記上壁と略平行に移動される第１部材と、該第１部材に回動可能に取り付けられ、前記第２位置で前記第１部材に対して傾斜して前記第２ユニットの第２面を支持する第２部材とを有した電子機器。
【請求項８】
請求項７に記載の電子機器において、
前記支持部は、前記第１部材と前記第２部材との間に設けられたばねを有し、該支持部は、前記ばねが弾性変形された状態で前記筐体の収容部に収容され、該支持部が前記筐体の外部に引き出されると、前記ばねの力で前記第２部材が前記第１部材に対して回動される電子機器。
【請求項９】
複数の第１磁石を有した外部ユニットに着脱可能に取り付けられる電子機器であって、
筐体と、
前記筐体に設けられ、互いに略同じ大きさを有するとともに、前記筐体から前記外部ユニットに向かう方向またはその反対方向にＳ極及びＮ極が向き、且つ、互いに隣の第２磁石とはＳ極及びＮ極の向きが逆に並べられた複数の第２磁石と、
を備えた電子機器。
【請求項１０】
請求項９に記載の電子機器において、
前記外部ユニットは、係合部を有し、
該電子機器は、前記外部ユニットから前記筐体に向かう第１方向で前記係合部が挿入され、前記複数の第２磁石が並ぶ第２方向で前記係合部に面する内面を有した受け部を有した電子機器。
【発明の詳細な説明】
【技術分野】
【０００１】
本発明の実施形態は、電子機器に関する。
【背景技術】
【０００２】
電子機器が着脱可能に取り付けられるクレードルが提供されている。
【先行技術文献】
【特許文献】
【０００３】
【特許文献１】特開２００５−３９０１９号公報
【発明の概要】
【発明が解決しようとする課題】
【０００４】
電子機器は、信頼性の向上が要望されている。
【０００５】
本発明は、信頼性の向上を図ることができる電子機器を提供することを目的の一つとする。
【課題を解決するための手段】
【０００６】
実施形態によれば、電子機器は、第１ユニットと、前記第１ユニットに着脱可能に取り付けられる第２ユニットと、前記第１ユニットに設けられた複数の第１磁石と、前記第２ユニットに設けられて、前記複数の第１磁石に向かい合う複数の第２磁石とを備える。前記複数の第１磁石は、互いに略同じ大きさを有するとともに、前記第１ユニットから前記第２ユニットに向かう方向またはその反対方向にＳ極及びＮ極が向き、且つ、互いに隣の第１磁石とはＳ極及びＮ極の向きが逆に並べられている。前記複数の第２磁石は、前記複数の第１磁石とはＳ極及びＮ極の向きが逆に並べられている。
【図面の簡単な説明】
【０００７】
【図１】第１実施形態に係るタブレットセットの斜視図。
【図２】図１中に示されたタブレットセットが閉じられた状態を示す側面図。
【図３】図１中に示されたタブレットセットが開かれた状態を示す側面図。
【図４】図１中に示されたタブレットセットの接続構造を示す断面図。
【図５】図１中に示されたタブレットセットの接続構造を示す断面図。
【図６】図５中に示された接続構造のＦ６線で囲まれた領域を拡大した断面図。
【図７】図５中に示された接続構造のＦ７−Ｆ７線に沿う断面図。
【図８】図１中に示されたドックのスタンドを示す斜視図。
【図９】図１中に示されたドックの底面を示す下面図。
【図１０】図１中に示されたドックの底面を示す下面図。
【図１１】図１中に示されたタブレットセットの断面図。
【図１２】図１０中に示されたドックのＦ１２−Ｆ１２線に沿う断面図。
【図１３】図１２中に示されたドックのＦ１３線で囲まれた領域を拡大した断面図。
【図１４】図１中に示されたタブレットセットの平面図。
【図１５】第２実施形態に係るタブレットセットの接続構造を示す断面図。
【発明を実施するための形態】
【０００８】
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
以下、実施の形態について、図面を参照して説明する。  
（第１実施形態）  
図１乃至図１４を参照して、第１実施形態に係るタブレットセット１について説明する。タブレットセット１は、「電子機器」の一例である。図１に示すように、タブレットセット１は、タブレット型パーソナルコンピュータ２（タブレット端末、タブレット本体、スレートＰＣ、以下、タブレットＰＣ）と、該タブレットＰＣ２が着脱可能に取り付けられるドック３とを備える。
【００１０】
ここで、タブレットＰＣ２は、単体で「電子機器」の別の一例であり、ドック３は、「ユニット」、「外部ユニット」、または「第１ユニット」の一例である。また別の観点では、ドック３は、単体で「電子機器」の別の一例であり、タブレットＰＣ２は、「ユニット」、「外部ユニット」、「第２ユニット」の一例である。なお、本実施形態が適用可能な電子機器は、上記例に限られず、例えば携帯電話（スマートフォンを含む）やゲーム機を含む種々の電子機器に広く適用可能である。
【００１１】
図１に示すように、タブレットＰＣ２は、筐体１１と、該筐体１１に収容された表示装置１２とを有する。表示装置１２は、タッチセンサ（タッチパネル）が設けられた表示画面１２ａを有する。表示画面１２ａは、例えばデジタイザペンによる入力操作を受け付ける。またこれに代えて、表示画面１２ａは、ユーザーの指による入力操作を受け付けてもよい。
【００１２】
ここで、表示装置１２は、筐体１１内に収容され、例えば磁石による磁界の影響を受ける可能性がある電子部品の一例である。なお、磁界の影響を受ける可能性がある電子部品は、表示装置１２に限らず、種々の部品が適宜該当する。
【００１３】
図１に示すように、筐体１１は、前壁１３（上壁、第１壁）、背壁１４（底壁、下壁、第２壁）、及び周壁１５（第３壁）を有し、扁平な箱状に形成されている。前壁１３は、表示画面１２ａが露出する開口部１３ａが設けられている。背壁１４は、前壁１３とは反対側に位置するとともに、前壁１３と略平行に延びている。背壁１４は、例えばタブレットＰＣ２を単体で机の上に置いた時、机上面（載置面、外部載置面）に向かい合う。周壁１５は、前壁１３及び背壁１４とは交差した方向に延びた部分を含み、前壁１３の周縁部と背壁１４の周縁部とを繋いでいる。
【００１４】
前壁１３は、タブレットＰＣ２の第１面２ａ（前面、上面）を構成する。第１面２ａは、表示画面１２ａが露出される。背壁１４は、タブレットＰＣ２の第２面２ｂ（背面、底面、下面）を構成する。第２面２ｂは、第１面２ａとは反対側に位置する。
【００１５】
また、筐体１１は、第１端部１１ａと、第２端部１１ｂとを有する。第１端部１１ａは、ドック３に取り付けられる端部である。第１端部１１ａは、例えば筐体１１の長手方向に延びている。第２端部１１ｂは、第１端部１１ａとは反対側に位置する。
【００１６】
次に、ドック３について説明する。  
図１に示すように、ドック３（クレードル、支持ユニット、支持部、台、接続機、拡張装置）は、本体２１（ドック本体）と、回動部２２とを有する。本体２１は、筐体２３と、該筐体２３に設けられたキーボード２４及びポインティングデバイス２５とを有する。筐体２３は、上壁２６（第１壁）、底壁２７（下壁、第２壁）、及び周壁２８（第３壁）を有し、扁平な箱状に形成されている。
【００１７】
底壁２７は、例えばドック３を机の上に置いた時に、机上面（載置面、外部載置面）に向かい合う。底壁２７は、机上面に接する複数の脚部２９（図２参照）が設けられている。上壁２６は、底壁２７とは反対側に位置し、底壁２７と略平行（机上面と略平行）に延びている。周壁２８は、上壁２６及び底壁２７とは交差した方向に延びた部分を含み、上壁２６の周縁部と底壁２７の周縁部とを繋いでいる。
【００１８】
ポインティングデバイス２５は、例えばクリックパッドまたはタッチパッドである。キーボード２４及びポインティングデバイス２５は、其々「入力部」の一例である。なお、ドック３に設けられる入力部は、キーボード２４及びポインティングデバイス２５に限らず、例えばタッチセンサ（タッチパネル）やその他の入力装置でもよい。
【００１９】
キーボード２４及びポインティングデバイス２５は、上壁２６に設けられている。上壁２６は、ポインティングデバイス２５の両側にパームレスト３０ａ，３０ｂを有する。上壁２６は、キーボード２４が取り付けられるキーボード取付部３１を有する。キーボード取付部３１は、パームレスト３０ａ，３０ｂの端部から筐体２３の内側に窪んだ凹部である。
【００２０】
回動部２２は、本体２１の後端部に設けられている。回動部２２は、筐体３３を有する。筐体３３は、本体２１の後端部に沿って延びている。回動部２２には、タブレットＰＣ２が着脱可能に取り付けられる。
【００２１】
回動部２２の筐体３３は、一対のヒンジ部３４ａ，３４ｂによって、本体２１の筐体２３に回動可能に連結されている。これにより、回動部２２に接続されたタブレットＰＣ２は、ドック３の本体２１に重ねられる第１位置（図２参照）と、ドック３の本体２１に対して立て起される第２位置（図３参照）との間で回動可能である。
【００２２】
上記第１位置では、表示画面１２ａと、キーボード２４及びポインティングデバイス２５とが向かい合う。上記第１位置では、表示画面１２ａ、キーボード２４、及びポインティングデバイス２５は、タブレットＰＣ２の外部から隠される。上記第２位置では、表示画面１２ａ、キーボード２４、及びポインティングデバイス２５は、外部に露出される。
【００２３】
なお、本実施形態に係るタブレットＰＣ２は、図１中の姿勢とは表裏を逆にした姿勢でも、ドック３に取り付け可能である。すなわち、タブレットＰＣ２は、表示画面１２ａをキーボード２４とは反対に向けた姿勢でドック３に取り付け可能である。さらに、タブレットＰＣ２は、表示画面１２ａがキーボード２４とは反対に向いてドック３に取り付けられた状態で、ドック３の本体２１に重なるように倒すことができる。
【００２４】
これにより、タブレットＰＣ２は、表示画面１２ａを上方に向けてドック３の本体２１に重なることができる。またタブレットＰＣ２は、表示画面１２ａを上方に向けてドック３に重ねられた状態で、表示画面１２ａに対する入力操作を受け付けることができる。
【００２５】
次に、タブレットＰＣ２とドック３との接続構造について詳しく説明する。  
図４及び図５に示すように、ドック３の回動部２２の筐体３３には、一対の第１磁石セット４１ａ，４１ｂ（磁石モジュール、磁力部）と、一対の係合部４２ａ，４２ｂ（突起、位置決め部、第１係合部）とが設けられている。一対の第１磁石セット４１ａ，４１ｂは、例えば筐体３３の中央の両側に分かれて位置する。第１磁石セット４１ａ，４１ｂは、其々、複数（例えば３つ以上）の第１磁石４３を有する。
【００２６】
第１磁石４３は、例えば磁界影響を小さくするために、幅ｗ１が１０ｍｍ以下の小型サイズである。第１磁石４３は、扁平形状であり、該複数の第１磁石４３が並ぶ方向（後述の第２方向Ｙ）の幅Ｗ１が、ドック３からタブレットＰＣ２に向かう方向（後述の第１方向Ｘ）の長さｔ１（厚さ）よりも大きい。複数の第１磁石４３は、互いに略同じ大きさを有し、並列に並べられている。本実施形態では、例えば５つの第１磁石４３が隣り合わせに並べられている。
【００２７】
図６に示すように、複数の第１磁石４３は、其々、ドック３からタブレットＰＣ２に向かう方向またはその反対方向にＳ極及びＮ極が向いている。すなわち、第１磁石４３は、Ｓ極及びＮ極のいずれか一方が、タブレットＰＣ２に向いている。換言すれば、複数の第１磁石４３は、其々、ドック３からタブレットＰＣ２に向かう方向またはその反対方向にＳ極とＮ極とが分かれている。
【００２８】
複数の第１磁石４３は、互いに隣の第１磁石４３とはＳ極及びＮ極の向きが逆に並べられている。すなわち、複数の第１磁石４３は、Ｓ極がタブレットＰＣ２に向いた第１磁石４３ａと、Ｎ極がタブレットＰＣ２に向いた第１磁石４３ｂとを含み、第１磁石４３ａと第１磁石４３ｂとが交互に並べられている。
【００２９】
図４に示すように、第１磁石セット４１ａ，４１ｂの周りには、シールド４５が設けられている。シールド４５は、例えば板金である。シールド４５は、第１磁石セット４１ａ，４１ｂに対して、タブレットＰＣ２に向かう方向を除く５面（５方向）を覆う。これにより、ドック３の内部に向かう磁界の影響を小さくするとともに、タブレットＰＣ２に向かう磁界を強めることができる。これにより、第１磁石４３として小型の磁石を採用しても、タブレットＰＣ２に向かう十分に強い磁界を確保することができる。
【００３０】
図４に示すように、一対の係合部４２ａ，４２ｂは、例えば第１磁石セット４１ａ，４１ｂの外側に位置する。係合部４２ａ，４２ｂは、筐体３３からタブレットＰＣ２に向いて突出している。本実施形態に係る係合部４２ａ，４２ｂは、其々、ガイド４６（ガイドピン）と、フック４７とを有する。
【００３１】
図４、図５、図７に示すように、ガイド４６は、筐体３３からタブレットＰＣ２に向いて突出した突起である。ガイド４６は、収容部４６ａを有する。収容部４６ａは、例えばガイド４６の内側に設けられた窪みであり、ガイド４６の側方に解放されている。フック４７は、ガイド４６の収容部４６ａに収容されている。ガイド４６は、収容部４６ａに位置したフック４７を覆う。
【００３２】
図４中に矢印で示すように、フック４７は、収容部４６ａ内に位置した第１位置と、収容部４６ａ内から側方に移動して、少なくとも該フック４７の一部（係り部４７ａ）がガイド４６の外部に突出した第２位置との間で移動可能である。一対の係合部４２ａ，４２ｂのガイド４６は、例えば筐体３３内で互いに連結されて一体に動く。
【００３３】
フック４７は、例えばタブレットＰＣ２がドック３に取り付けられる前の状態では、ガイド４６の収容部４６ａ内に位置し、ガイド４６の外部には突出していない。このため、タブレットＰＣ２がドック３に取り付けられる時は、フック４７は、タブレットＰＣ２に干渉しない。一方で、タブレットＰＣ２がドック３に取り付けられると、フック４７がガイド４６内から突出してタブレットＰＣ２に係合する。これにより、タブレットＰＣ２がドック３から外れなくなる。
【００３４】
なお、上記構成に代えて、フック４７は、例えばタブレットＰＣ２がドック３に取り付けられる前の状態でガイド４６の外部に突出するとともに、タブレットＰＣ２がドック３に取り付けられる時だけガイド４６の収容部４６ａ内に後退するものでもよい。この構成によっても、タブレットＰＣ２がドック３に取り付けられた後に、フック２７がガイド４６内から突出してタブレットＰＣ２に係合することで、タブレットＰＣ２がドック３から外れなくなる。
【００３５】
一方で、図４及び図５に示すように、タブレットＰＣ２の筐体１１の第１端部１１ａには、一対の第２磁石セット５１ａ，５１ｂ（磁石モジュール、磁力部）と、一対の受け部５２ａ，５２ｂ（取付部、位置決め部、第２係合部）とが設けられている。一対の第２磁石セット５１ａ，５１ｂは、例えば筐体１１の第１端部１１ａの中央の両側に分かれて位置する。第２磁石セット５１ａ，５１ｂは、其々、複数（例えば３つ以上）の第２磁石５３を有する。
【００３６】
第２磁石５３は、例えば磁界影響を小さくするために、幅ｗ２が１０ｍｍ以下の小型サイズである。第２磁石５３は、扁平形状であり、該複数の第２磁石５３が並ぶ方向（後述の第２方向Ｙ）の幅ｗ２が、ドック３からタブレットＰＣ２に向かう方向（後述の第１方向Ｘ）の長さｔ２（厚さ）よりも大きい。複数の第２磁石５３は、互いに略同じ大きさを有し、並列に並べられている。本実施形態では、例えば５つの第２磁石５３が隣り合わせに並べられている。
【００３７】
図６に示すように、複数の第２磁石５３は、其々、ドック３からタブレットＰＣ２に向かう方向またはその反対方向にＳ極及びＮ極が向いている。すなわち、第２磁石５３は、Ｓ極及びＮ極のいずれか一方が、ドック３に向いている。換言すれば、複数の第２磁石５３は、其々、ドック３からタブレットＰＣ２に向かう方向またはその反対方向にＳ極とＮ極とが分かれている。
【００３８】
複数の第２磁石５３は、互いに隣りの第２磁石５３とはＳ極及びＮ極の向きが逆に並べられている。すなわち、複数の第２磁石５３は、Ｎ極がドック３に向いた第２磁石５３ａと、Ｓ極がドック３に向いた第２磁石５３ｂとを含み、第２磁石５３ａと第２磁石５３ｂとが交互に並べられている。
【００３９】
図６に示すように、複数の第２磁石５３は、複数の第１磁石４３に向かい合う。複数の第２磁石５３は、上記複数の第１磁石４３とはＳ極及びＮ極の向きが逆に並べられている。すなわち、第２磁石５３ａのＮ極と、第１磁石４３ａのＳ極とが向かい合うとともに、第２磁石５３ｂのＳ極と、第１磁石４３ｂのＮ極とが向かい合う。このため、第１磁石セット４１ａ，４１ｂと第２磁石セット５１ａ，５１ｂとの間に引き合う力が生じ、タブレットＰＣ２とドック３とが固定される。
【００４０】
図６に示すように、第２磁石セット５１ａ，５１ｂの周りには、シールド５５が設けられている。シールド５５は、例えば板金である。シールド５５は、第２磁石セット５１ａ，５１ｂに対して、ドック３に向かう方向を除く５面（５方向）を覆う。これにより、タブレットＰＣ２の内部に向かう磁界の影響を小さくなるとともに、ドック３に向かう磁界を強めることができる。これにより、これにより、第２磁石５３として小型の磁石を採用しても、ドック３に向かう十分に強い磁界を確保することができる。
【００４１】
図４及び図５に示すように、一対の受け部５２ａ，５２ｂは、例えば第２磁石セット５１ａ，５１ｂの外側に位置し、ドック３の係合部４２ａ，４２ｂに向かい合う。受け部５２ａ，５２ｂは、係合部４２ａ，４２ｂが挿入可能な凹状に形成されている。係合部４２ａ，４２ｂは、ドック３からタブレットＰＣ２に向かう第１方向Ｘで受け部５２ａ，５２ｂに挿入される。
【００４２】
受け部５２ａ，５２ｂは、第１部分６１、第２部分６２、及び第３部分６３を有する。第１部分６１は、受け部５２ａ，５２ｂの最奥部（最上部）に位置し、上記第１方向Ｘで係合部４２ａ，４２ｂに向かい合う。第１部分６１は、フック４７を覆い、フック４７を保護する。
【００４３】
第２部分６２は、例えば第１部分６１の端部から筐体１１の外側に向いて、上記第１方向Ｘに延びている。第２部分６２の内面６２ａは、上記第１部分６１とは交差した（例えば略直交した）第２方向Ｙで係合部４２ａ，４２ｂに面する。第２方向Ｙは、例えば複数の第１磁石４３が並ぶ方向であり、複数の第２磁石５３が並ぶ方向でもある。
【００４４】
このため、例えば係合部４２ａ，４２ｂが第２方向Ｙで所定量以上位置ずれすると、係合部４２ａ，４２ｂが第２部分６２に接し、係合部４２ａ，４２ｂの第２方向Ｙの移動が規制される。これにより、第２部分６２は、タブレットＰＣ２の第２方向Ｙのずれを抑制する。このため、係合部４２ａ，４２ｂが受け部５２ａ，５２ｂに挿入されることで、タブレットＰＣ２とドック３との最初の位置出し（位置合わせ）が行われる。
【００４５】
ここで、第２方向Ｙにおける係合部４２ａ，４２ｂと受け部５２ａ，５２ｂとの間の隙間ｇは、複数の第１磁石４３の中心間距離Ｐ１よりも小さく、複数の第２磁石５３の中心間距離Ｐ２よりも小さい。なお、「中心間距離」とは、ある磁石の中心線と、その隣の磁石の中心線との間の距離（ピッチ）である。本実施形態の場合、「中心間距離」は、第１磁石４３の第２方向Ｙの幅ｗ１、及び第２磁石５３の第２方向Ｙの幅ｗ２と略同じである。
【００４６】
図５に示すように、係合部４２ａ，４２ｂが受け部５２ａ，５２ｂに挿入されると、フック４７が第２方向Ｙに移動され、ガイド４６から突出する。フック４７が突出されると、係合部４２ａ，４２ｂの第３部分６３は、フック４７の係り部４７ａと、ドック３との間に位置する。第３部分６３は、フック４７の係り部４７ａに、上記第１方向Ｘで向かい合う。これにより、フック４７の係り部４７ａが第３部分６３に掛かり、タブレットＰＣ２がドック３から外れなくなる。
【００４７】
次に、スタンド７１について詳しく説明する。  
図３及び図８に示すように、ドック３は、折り畳み式のスタンド７１を有する。スタンド７１は、「支持部」の一例である。図９及び図１０に示すように、スタンド７１は、ドック３の筐体２３の領域内に位置した第１位置と、筐体２３の後方に引き出された第２位置との間で移動可能である。
【００４８】
詳しく述べると、筐体２３の底壁２７には、スタンド７１が収容される収容部７２（凹部）が設けられている。収容部７２は、筐体２３の内側に向いて窪んでいる。上記第１位置では、スタンド７１は、折り畳まれて、筐体２３の収容部７２に収容されている。すなわち、上記第１位置では、スタンド７１は、筐体２３の底壁２７に覆われている。一方で、上記第２位置では、スタンド７１は、筐体２３の外部に引き出され、展開可能である。
【００４９】
図１０に示すように、収容部７２は、天井壁７３と、３つの立壁７４ａ，７４ｂ，７４ｃとを有する。図１１に示すように、天井壁７３は、上壁２６の一部、さらに言えば、キーボード取付部３１によって構成されている。すなわち、天井壁７３の上面には、キーボード２４が直接載置されている。
【００５０】
図１０に示すように、３つの立壁７４ａ，７４ｂ，７４ｃは、天井壁７３の前縁、左側縁、及び右側縁に設けられている。すなわち、３つの立壁７４ａ，７４ｂ，７４ｃは、収容部７２を三方向から囲むとともに、互いに接続されている。
【００５１】
図１１に示すように、立壁７４ａ，７４ｂ，７４ｃは、底壁２７から上方に向いて起立し、天井壁７３に接する。換言すれば、立壁７４ａ，７４ｂ，７４ｃは、天井壁７３を支持することで、該天井壁７３を介してキーボード２４を支持する。
【００５２】
立壁７４ａ，７４ｂ，７４ｃは、略鉛直方向に起立しているため、鉛直方向の力に対して高い剛性を有する。このため、立壁７４ａ，７４ｂ，７４ｃは、キーボード２４の入力時にキーボード２４に加わる力を下方から支えることができる。すなわち本実施形態では、収容部７２の立壁７４ａ，７４ｂ，７４ｃによって、筐体２３の剛性が高められ、キーボード２４が支持されている。
【００５３】
図８乃至図１１に示すように、スタンド７１は、第１部材８１、第２部材８２、及び第３部材８３を有する。第１部材８１は、筐体２３の底壁２７にスライド可能に取り付けられている。第１部材８１は、ドック３が置かれる載置面と略平行（上壁２６と略平行）に、上記第１位置と上記第２位置とに亘りスライド移動される。
【００５４】
図８及び図１０に示すように、第１部材８１は、例えば、一対のレール部８５ａ，８５ｂと、凹部８６（収容部）とを有する。一対のレール部８５ａ，８５ｂは、第１部材８１の左右の端部に設けられ、第１部材８１のスライド方向に延びている。レール部８５ａ，８５ｂの下面には、第１部材８１のスライド方向に延びた溝８７（段差部）が設けられている。また溝８７の底壁２７には、同じく第１部材８１のスライド方向に延びた第１孔８８が設けられている。
【００５５】
図９、図１０、図１２、図１３に示すように、レール部８５ａ，８５ｂの下方には、押さえ部材９１（支持部材）が設けられている。押さえ部材９１は、溝８７に収容され、溝８７の段差内に収まっている。図１３に示すように、押さえ部材９１の一部は、第１孔８８に挿入されている。また、押さえ部材９１は、第１孔８８に挿入された部分に、第２孔９２を有する。
【００５６】
図１２及び図１３に示すように、筐体２３の上壁２６の内面には、第１部材８１に向いて突出してレール部８５ａ，８５ｂに面した支持部９３（突起部）が設けられている。レール部８５ａ，８５ｂは、押さえ部材９１と支持部９３との間に挟まれて支持されている。より詳しく述べると、支持部９３には、取付部材９４が固定されている。取付部材９４は、下方に突出し、レール部８５ａ，８５ｂの第１孔８８に挿入されている。
【００５７】
本実施形態では、取付部材９４は、押さえ部材９１の第２孔９２にも挿入され、レール部８５ａ，８５ｂの下方に露出されている。取付部材９４には、ねじ９５（固定部材）が取り付けられている。ねじ９５は、押さえ部材９１を取付部材９４に固定している。これにより、レール部８５ａ，８５ｂは、押さえ部材９１によって下方から支持されてスライド可能である。
【００５８】
図８に示すように、第１部材８１の凹部８６は、一対のレール部８５ａ，８５ｂの間に位置する。凹部８６は、レール部８５ａ，８５ｂから載置面に向かう方向に窪んでいる。凹部８６は、載置面と略平行に延びている。凹部８６は、第２部材８２が収容される収容部である。
【００５９】
図１１に示すように、第１部材８１は、第１端部８１ａと、第２端部８１ｂとを有する。第１端部８１ａは、前端部であり、上記第１位置で、キーボード２４の下方に位置するとともに、上記第２位置で、筐体２３の後端部の下方に位置する。第２端部８１ｂは、後端部であり、第１端部８１ａとは反対側に位置する。第２端部８１ｂは、上記第２位置で、筐体２３の後方に引き出される。
【００６０】
第２部材８２は、第１端部８２ａと、第２端部８２ｂとを有する。第１端部８２ａは、後端部であり、第１部材８１の第２端部８１ｂに隣り合う。第１端部８２ａは、第１部材８１の第２端部８１ｂに回動可能に取り付けられている。第２端部８２ｂは、前端部であり、第１端部８２ａとは反対側に位置する。
【００６１】
図１４に示すように、第１部材８１の第２端部８１ｂと第２部材８２の第１端部８２ａとの間には、ばね９６が設けられている。ばね９６は、例えばねじりコイルばねである。ばね９６は、第２部材８２の第２端部８２ｂが、第１部材８１から遠ざかる方向に回動されるように弾性力を作用させる。
【００６２】
すなわち、スタンド７１は、第２部材８２が第１部材８１に重なるように畳まれてばね９６が弾性力を蓄える第１状態と、前記ばね９６の力によって第２部材８２が第１部材８１から離れるように回動された（展開された）第２状態との間で変形可能である。
【００６３】
図１１に示すように、上記第２状態では、第２部材８２は、第１部材８１に対して傾斜する。第２部材８２の第２端部８２ｂは、タブレットＰＣ２の第２面２ｂに接し、タブレットＰＣ２の第２面２ｂを背後から支持する。これにより、タブレットＰＣ２が後方に倒れにくくなるとともに、ドック３の前端部が浮き上がりにくくなる。
【００６４】
タブレットＰＣ２の第２面２ｂは、第２部材８２の第２端部８２ｂに係る係り部９７が設けられている。係り部９７は、タブレットＰＣ２の第２面２ｂに設けられた凸部、凹部、または他の部分に比べて摩擦抵抗が大きな領域である。係り部９７の一例は、タブレットＰＣ２の第２面２ｂに取り付けられたロゴ板である。
【００６５】
図１１に示すように、第３部材８３は、第１部材８１の中間部と、第２部材８２の中間部との間に亘る。第３部材８３は、第１部材８１に回動可能に取り付けられた第１端部８３ａと、第２部材８２に回動可能に取り付けられた第２端部８３ｂとを有する。第２端部８３ｂは、図１１中に矢印で示すように、第２部材８２の外形に沿って、第２部材８２の内部で移動可能である。
【００６６】
第２部材８２が第１部材８１に対して所定角度以上回動されると、第３部材８３が第１部材８１と第２部材８２との間で引っ張られ、第２部材８２がそれ以上回動できなくなる。これにより、第２部材８２の開き角度が定まる。すなわち、第３部材８３は、第２部材８２の開き角度を規制するストッパーである。
【００６７】
次に、本実施形態に係るタブレットＰＣ２及びドック３の作用について説明する。
【００６８】
ドック３に対するタブレットＰＣ２の取り付けは、まず、タブレットＰＣ２の受け部５２ａ，５２ｂをドック３の係合部４２ａ，４２ｂに合わせ、この係合部４２ａ，４２ｂを受け部５２ａ，５２ｂに挿入する。係合部４２ａ，４２ｂの先端部が受け部５２ａ，５２ｂに挿入されると、タブレットＰＣ２とドック３との最初の位置合わせ（位置決め）が成される。これにより、第１磁石セット４１ａ，４１ｂと第２磁石セット５１ａ，５１ｂとが互いに引き合うように向かい合う。
【００６９】
そして、係合部４２ａ，４２ｂを受け部５２ａ，５２ｂのさらに奥まで挿入すると、第１磁石セット４１ａ，４１ｂと第２磁石セット５１ａ，５１ｂとの間の引き合う力で、タブレットＰＣ２がドック３に向けて引き寄せられる。そして、第１磁石セット４１ａ，４１ｂと第２磁石セット５１ａ，５１ｂによって、さらに精度が高い位置合わせ（位置決め）が成されるとともに、タブレットＰＣ２とドック３とが固定される。
【００７０】
係合部４２ａ，４２ｂが受け部５２ａ，５２ｂに挿入されると、ガイド４６からフック４７が飛び出し、係合部４２ａ，４２ｂの第３部分６３に掛かる。これにより、タブレットＰＣ２がドック３から外れなくなる。このとき、第１磁石セット４１ａ，４１ｂと第２磁石セット５１ａ，５１ｂとの間の引き合う力により、係合部４２ａ，４２ｂと受け部５２ａ，５２ｂとの間のガタつきが抑制される。
【００７１】
スタンド７１は、折り畳まれた状態、すなわち第２部材８２が第１部材８１に重ねられてばね９６が弾性変形した状態で、ドック３の筐体２３の収容部７２に収容されている。ユーザーは、タブレットＰＣ２をドック３に取り付けた後、またはタブレットＰＣ２をドック３に取り付ける前に、筐体２３の収容部７２からスタンド７１を引き出すことができる。
【００７２】
スタンド７１は、筐体２３の収容部７２から引き出されると、ばね９６の力で自動的に展開される。すなわち、ばね９６の力によって、第２部材８２が第１部材８１に対して回動され、第２部材８２の第２端部８２ｂがタブレットＰＣ２の第２面２ｂを支持可能になる。スタンド７１がタブレットＰＣ２の第２面２ｂを支持することで、タブレットＰＣ２が後ろに倒れにくくなるとともに、ドック３の前端部が浮き上がりにくくなる。
【００７３】
また、ユーザーは、第２部材８２を第１部材８１に向けて押さえることで、スタンド７１を畳み、その折り畳んだスタンド７１を筐体２３の収容部７２に収容することができる。これにより、タブレットＰＣ２やドック３の外観がすっきりとし、美観が向上する。
【００７４】
このような構成によれば、電子機器の信頼性の向上を図ることができる。ここで、例えば表示装置１２は、磁石の磁界の影響を受ける可能性がある電子部品の一例である。磁界の影響が大きい場合、表示装置１２は、例えばデジタイザペンの実際の入力位置に対してずれた位置を認識する可能性がある。
【００７５】
しかしながら、本実施形態に係るドック３は、互いに略同じ大きさを有するとともに、該ドック３からタブレットＰＣ２に向かう方向またはその反対方向にＳ極及びＮ極が向き、且つ、互いに隣の第１磁石４３とはＳ極及びＮ極の向きが逆に並べられた複数の第１磁石４３を有する。
【００７６】
上記のように、Ｓ極及びＮ極の向きを交互に逆にして複数の第１磁石４３を並べることで、例えば一つの大きな磁石を設ける場合に比べて、引き合う力を略同じに維持しつつ、磁界の出方を小さくすることができる。すなわち、一つの大きな磁石を設けた場合、大きな磁界の山が生じるのに対して、Ｓ極及びＮ極の向きを交互に逆にして複数の第１磁石４３を並べることで、小さな磁界の山が複数生じるようになる。これにより、磁界が影響を及ぼす範囲を小さくすることができる。
【００７７】
同様に、本実施形態に係るタブレットＰＣ２は、複数の第１磁石４３に向かい合うとともに、複数の第１磁石４３とはＳ極及びＮ極の向きが逆に並べられた複数の第２磁石５３を有する。すなわち、複数の第２磁石５３は、Ｓ極及びＮ極の向きを交互に逆にして並べられている。これにより、磁界の影響が及ぼす範囲を小さくすることができる。
【００７８】
このため、本実施形態によれば、タブレットＰＣ２及びドック３に設けられた電子部品が磁界の影響を受けにくくなり、動作の信頼性が向上する。これにより、電子機器の信頼性の向上を図ることができる。
【００７９】
本実施形態では、第１磁石４３及び第２磁石５３は、其々３つ以上である。このような構成によれば、磁石３個間以上による磁力線の打消しがなくなる。このため、磁界の影響を小さくしつつ、比較的強い磁力（引き合う力）を確保することができる。
【００８０】
ここで、其々複数の第１及び第２磁石４３，５３をＳ極及びＮ極の向きを交互に逆にして並べると、タブレットＰＣ２とドック３との位置合わせが適切でなかった場合、正しい位置に対して例えば２つ隣の磁石と引き合ってしまう可能性がある。これは、磁界の影響を小さくするため、第１及び第２の磁石４１ａ，４１ｂ，５１ａ，５１ｂの大きさを小さくする程、可能性が高くなる。
【００８１】
しかしながら、本実施形態では、タブレットＰＣ２は、受け部５２ａ，５２ｂを有する。ドック３は、該ドック３からタブレットＰＣ２に向かう第１方向Ｘで受け部５２ａ，５２ｂに挿入され、複数の第１磁石４３が並ぶ第２方向Ｙで受け部５２ａ，５２ｂの内面６２ａに面する係合部４２ａ，４２ｂを有する。
【００８２】
このような受け部５２ａ，５２ｂと係合部４２ａ，４２ｂとを有することで、タブレットＰＣ２とドック３との間の最初の位置あわせが適切に行われ、第１磁石４３と第２磁石５３とが適切な位置で向かうことができる。これにより、タブレットＰＣ２とドック３との位置ずれを抑制し、使いやすさを向上させることができる。なお、受け部５２ａ，５２ｂ及び係合部４２ａ，４２ｂは、其々一つでもよい。
【００８３】
本実施形態では、第２方向Ｙにおける係合部４２ａ，４２ｂと受け部５２ａ，５２ｂとの間の隙間ｇは、複数の第１磁石４３の中心間距離Ｐ１よりも小さい。このような構成によれば、係合部４２ａ，４２ｂと受け部５２ａ，５２ｂとの間の隙間ｇによって生じる位置ずれを、第１磁石４３の中心間距離Ｐ１よりも小さくすることができる。これにより、磁石４３，５３が、正しい位置に対して２つ隣の磁石と引き合うことをさらに確実に避けることができる。
【００８４】
本実施形態では、係合部４２ａ，４２ｂは、第１方向Ｘで受け部５２ａ，５２ｂに挿入されるガイド４６と、第１磁石４３と第２磁石５３との間に引き合う力が生じた状態で、ガイド４６内から第２方向Ｙに移動してガイド４６から突出し、受け部５２ａ，５２ｂに係合するフック４７とを有する。このような構成によれば、磁石４３，５３による固定構造がフック４７によって補強され、タブレットＰＣ２がドック３から外れなくなる。これにより、使いやすさをさらに向上させることができる。
【００８５】
本実施形態によれば、タブレットＰＣ２は、表示画面１２ａが露出した第１面２ａと、該第１面２ａとは反対側に位置した第２面２ｂとを有する。ドック３は、収容部７２が設けられた筐体２３と、スタンド７１を有する。スタンド７１は、筐体２３の収容部７２に折り畳まれて収容された第１位置と、筐体２３の外部に引き出された第２位置との間で移動可能であり、第１磁石４３と第２磁石５３との間に引き合う力が生じた状態で、タブレットＰＣ２の第２面２ｂを支持する。
【００８６】
このような構成によれば、引き出し式のスタンド７１によって、タブレットＰＣ２を支持することができる。これにより、タブレットＰＣ２が後方に倒れにくくなるとともに、ドック３の前端部が浮き上がりにくくなる。また、スタンド７１が引き出し式であるため、タブレットＰＣ２及びドック３の外観を薄型でフラットにすることができる。
【００８７】
本実施形態では、スタンド７１は、筐体２３の上壁２６と略平行に移動される第１部材８１と、第１部材８１に回動可能に取り付けられ、第１部材８１に対して傾斜してタブレットＰＣ２の第２面２ｂを支持する第２部材８２とを有する。このような構成によれば、折り畳まれた状態のスタンド７１の薄型化を図ることができる。
【００８８】
本実施形態では、スタンド７１は、第１部材８１と第２部材８２との間に設けられたばね９６を有する。スタンド７１は、ばね９６が弾性変形された状態で筐体２３の収容部７２に収容され、該スタンド７１が筐体２３の外部に引き出されると、ばね９６の力で第２部材８２が第１部材８１に対して回動する。このような構成によれば、筐体２３の外部に引き出された時に、自動的に展開されるスタンド７１を比較的簡単な構造で実現することができる。
【００８９】
（第２実施形態）  
次に、図１５を参照して、第２実施形態に係るタブレットセット１について説明する。なお、第１実施形態の構成と同一または類似の機能を有する構成は、同一の符号を付してその説明を省略する。また、下記に説明する以外の構成は、第１実施形態と同じである。
【００９０】
図１５に示すように、本実施形態に係る第１磁石セット４１ａ，４１ｂは、例えば３つの第１磁石４３を有する。また、第２磁石セット５１ａ，５１ｂは、例えば３つの第２磁石５３を有する。このような構成によっても、上記第１実施形態と略同様に、電子機器の信頼性の向上を図ることができる。なお、第１磁石４３及び第２磁石５３の数は、例えば４つ以上でもよい。
【００９１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００９２】
Ｘ…第１方向、Ｙ…第２方向、ｇ…隙間、Ｐ１…中心間距離、１…タブレットセット、２…タブレットＰＣ、２ａ…第１面、２ｂ…第２面、３…ドック、１１…筐体、２１…本体、２２…回動部、２３…筐体、２４…キーボード、２６…上壁、４２ａ，４２ｂ…係合部、４３…第１磁石、４６…ガイド、４７…フック、５２ａ，５２ｂ…受け部、５３…第２磁石、７１…スタンド、７２…収容部、８１…第１部材、８２…第２部材、９６…ばね。
【図１】
2014150108.tif 000003
【図２】
2014150108.tif 000004
【図３】
2014150108.tif 000005
【図４】
2014150108.tif 000006
【図５】
2014150108.tif 000007
【図６】
2014150108.tif 000008
【図７】
2014150108.tif 000009
【図８】
2014150108.tif 000010
【図９】
2014150108.tif 000011
【図１０】
2014150108.tif 000012
【図１１】
2014150108.tif 000013
【図１２】
2014150108.tif 000014
【図１３】
2014150108.tif 000015
【図１４】
2014150108.tif 000016
【図１５】
2014150108.tif 000017